(57)【要約】【課題】発光ダイオードの発光量を感知した結果を用いて、発光ダイオードに流れる電流をその経路上で比較的簡単に制御することができる発光ダイオード駆動回路を提供する。【解決手段】少なくとも一つの発光ダイオードを駆動する発光ダイオード駆動回路において、前記発光ダイオードから発する光を受光し、前記受光された光の量に相応するレベルを有するフィードバック信号を生成する光感知部と；前記発光ダイオードの電流が流れる経路上に設けられ、前記フィードバック信号と第１基準信号とを比較した結果に相応して、前記発光ダイオードに流れる電流量を調節する電流調節部と；を備えて発光ダイオード駆動回路を構成する。【選択図】図１
2009004788.tif 000002
【特許請求の範囲】
【請求項１】
少なくとも一つの発光ダイオードを駆動する発光ダイオード駆動回路において、
前記発光ダイオードから発する光を受光し、前記受光された光の量に相応するレベルを有するフィードバック信号を生成する光感知部と；
前記発光ダイオードの電流が流れる経路上に設けられ、前記フィードバック信号と第１基準信号とを比較した結果に相応して、前記発光ダイオードに流れる電流量を調節する電流調節部と；
を備えることを特徴とする発光ダイオード駆動回路。
【請求項２】
前記電流調節部は、前記発光ダイオードの陰極と基準電位との間に設けられることを特徴とする請求項１に記載の発光ダイオード駆動回路。
【請求項３】
前記電流調節部は、前記比較された結果に相応して前記電流量を発光ダイオード別に調節することを特徴とする請求項１に記載の発光ダイオード駆動回路。
【請求項４】
前記発光ダイオード駆動回路は、
前記発光ダイオードの電圧を検査して制御信号を生成する電圧検査部と；
前記制御信号に相応する電圧を前記各発光ダイオードに供給する電荷ポンプと；をさらに備えることを特徴とする請求項１に記載の発光ダイオード駆動回路。
【請求項５】
前記発光ダイオードの電圧は、前記発光ダイオードに供給される電圧であることを特徴とする請求項４に記載の発光ダイオード駆動回路。
【請求項６】
前記発光ダイオードの電圧は、前記発光ダイオードの両端での電圧であることを特徴とする請求項４に記載の発光ダイオード駆動回路。
【請求項７】
前記光感知部は、
前記発光ダイオードから発する光を受光する受光ダイオードと；
前記受光ダイオードと基準電位との間に連結される第１負荷と；を備えており、
前記フィードバック信号は、前記受光ダイオードと前記第１負荷との間から流出することを特徴とする請求項１に記載の発光ダイオード駆動回路。
【請求項８】
前記受光ダイオードは、前記電荷ポンプと連結される陰極、及び前記第１負荷と連結される陽極を有することを特徴とする請求項７に記載の発光ダイオード駆動回路。
【請求項９】
前記受光ダイオードは、前記発光ダイオードの陽極と連結される陰極、及び前記第１負荷と連結される陽極を有することを特徴とする請求項７に記載の発光ダイオード駆動回路。
【請求項１０】
前記第１負荷は、前記受光ダイオードの陽極と前記基準電位との間に連結される第１抵抗を備えており、
前記フィードバック信号は、前記第１抵抗の両端にかかる電圧であることを特徴とする請求項７に記載の発光ダイオード駆動回路。
【請求項１１】
前記電荷ポンプは、
互いに異なる電圧利得を有する多数個の動作モードのうち、前記制御信号に応答して決定された動作モードに対応する前記電圧を前記発光ダイオードに供給することを特徴とする請求項４に記載の発光ダイオード駆動回路。
【請求項１２】
前記電流調節部は、
前記フィードバック信号のレベルと前記第１基準信号のレベルとを比較する第１比較器と；
前記発光ダイオードの陰極と前記基準電位との間に連結され、前記比較された結果に応答して駆動する第１トランジスタと；
前記第１トランジスタと前記基準電位との間に連結される第２負荷と；を備えることを特徴とする請求項１に記載の発光ダイオード駆動回路。
【請求項１３】
前記電流調節部は、
前記第１基準信号を発生する第１基準信号発生部をさらに備えることを特徴とする請求項１２に記載の発光ダイオード駆動回路。
【請求項１４】
前記電流調節部は、
前記フィードバック信号のレベルと前記第１基準信号のレベルとを比較する第２比較器と；
前記比較された結果に応答して第２基準信号を発生する第２基準信号発生部と；
前記第２基準信号に連結される正の入力端子を有する第１演算増幅器と；
前記発光ダイオードの陰極と基準電位との間に連結され、前記第１演算増幅器の出力に応答して駆動する第２トランジスタと；
前記第１演算増幅器の負の入力端子と前記基準電位との間に連結される第３負荷と；を備えることを特徴とする請求項１に記載の発光ダイオード駆動回路。
【請求項１５】
前記発光ダイオード駆動回路は、
前記フィードバック信号を前記電流調節部に選択的に供給するスイッチをさらに備えることを特徴とする請求項１に記載の発光ダイオード駆動回路。
【請求項１６】
前記第１基準信号発生部は、
第２基準信号と連結される正の入力端子を有する第２演算増幅器と；
前記第２演算増幅器の負の入力端子と前記基準電位との間に連結される第２抵抗と；
第２演算増幅器の出力に応答して、基準電流を前記第２抵抗に伝達する第３トランジスタと；
前記基準電流のミラー電流を生成する電流ミラーと；
前記ミラー電流が流れる第３抵抗と；を備えており、
前記第１基準信号は、前記第３抵抗の両端にかかる電圧に該当することを特徴とする請求項１３に記載の発光ダイオード駆動回路。
【請求項１７】
前記第２基準信号発生部は、
基準電流が流れる経路上に設けられ、前記比較された結果に応答して駆動する第４トランジスタと；
前記第４トランジスタと前記基準電位との間に連結される第４抵抗と；
前記基準電流のミラー電流を生成する電流ミラーと；
前記ミラー電流が流れる第５抵抗と；を備えており、
前記第２基準信号は、前記第５抵抗の両端にかかる電圧に該当することを特徴とする請求項１４に記載の発光ダイオード駆動回路。
【発明の詳細な説明】
【技術分野】
【０００１】
本発明は、発光ダイオード（Ｌｉｇｈｔ  Ｅｍｉｔｔｅｄ  Ｄｉｏｄｅ：ＬＥＤ）に関するもので、特に、ＬＥＤ駆動回路に関するものである。
【背景技術】
【０００２】
白色ＬＥＤは、照明用素子として広く使用されており、移動通信機器のバックライトユニット（Ｂａｃｋ  Ｌｉｇｈｔ  Ｕｎｉｔ：ＢＬＵ）として脚光を浴びている。ＬＥＤが移動通信機器に応用される場合、長い使用時間を確保しなければならないので、ＬＥＤは、低電力を消耗することが好ましい。また、ＬＥＤから発する光量を一定に維持することが、ＬＥＤ駆動回路の主な設計目標である。
【０００３】
一般的に、ＬＥＤは、発光色と関係なしに、ＬＥＤに供給される電流と温度の関数によって発光量が決定される。全てのＬＥＤは、動作時間の経過（ａｇｉｎｇ）とともに明るさが非線形的に減少する。特に、白色ＬＥＤの場合、一定の使用時間が経過した後、その明るさが目につくほどに減少する。また、ＬＥＤに同一の電流が印加されるとしても、動作時のＬＥＤ素子の周辺温度によってＬＥＤの明るさが変わることもある。
【０００４】
実質的にＢＬＵに搭載されるＬＥＤは、直列または並列構造で複数個が使用される。多様なＬＥＤが同時に駆動される場合、各ＬＥＤを同一の電流で駆動させることで、ＬＥＤの光量を均一に維持しなければならない。
【０００５】
白色ＬＥＤを電荷ポンプ方式で駆動させる一般的なＬＥＤ駆動回路は、ＭＡＸＩＭ社のデータシートであるｍａｘ８６３１、アナログデバイセズ（Ａｎａｌｏｇ  ｄｅｖｉｃｅｓ）社のＡＤＭ８８４３に開示されている。ここに開示された一般的なＬＥＤ駆動回路は、ＬＥＤに印加される電圧の量またはＬＥＤの両端にかかる電圧を感知し、これを用いてＬＥＤに印加される電圧の量を制御する。したがって、ＬＥＤの光量を一定に維持することに限界が生じるしかない。
【０００６】
このような問題点を解消するために、ＬＥＤから発する光を受光し、受光結果を用いてＬＥＤの駆動を制御する一般的な他のＬＥＤ駆動回路がＥＤＮ（Ｊａｎｕａｒｙ  １８、２００７の８４〜８８ページ）に開示されている。ここに開示されたＬＥＤ駆動回路は、二つの集積回路（Ｉｎｔｅｇｒａｔｅｄ  Ｃｉｒｃｕｉｔ：ＩＣ）の他にも、ＩＣの周辺にショットキーダイオード及びインダクターなどの多くの周辺素子を要求する。したがって、部品数が多くなって、組立て単価が上昇するだけでなく、ＩＣの大きさを減少させることにも限界がある。
【特許文献１】米国特許第６，６９０，１４６号明細書
【非特許文献１】ＭＡＸＩＭ社のＤＡＴＡＳＨＥＥＴ−ＭＡＸ８６３１、Ａｎａｌｏｇ  ｄｅｖｉｃｅｓ社のＡＤＭ８８４３
【非特許文献２】ＥＤＮ、Ｊａｎｕａｒｙ  １８、２００７、８４〜８８ページ、"Ｏｐｔｉｃａｌ  ｆｅｅｄｂａｃｋ  ｅｘｔｅｎｄｓ  ｗｈｉｔｅ  ＬＥＤｓ'  ｏｐｅｒａｔｉｎｇ  ｌｉｆｅ"
【発明の開示】
【発明が解決しようとする課題】
【０００７】
本発明は、上記のような従来の問題点を解決するためのもので、その目的は、発光ダイオードの発光量を感知した結果を用いて、発光ダイオードに流れる電流をその経路上で比較的簡単に制御することができる発光ダイオード駆動回路を提供することにある。
【課題を解決するための手段】
【０００８】
上記のような目的を達成するために、少なくとも一つの発光ダイオードを駆動する本発明による発光ダイオード駆動回路は、前記発光ダイオードから発する光を受光し、前記受光された光の量に相応するレベルを有するフィードバック信号を生成する光感知部と、前記発光ダイオードの電流が流れる経路上に設けられ、前記フィードバック信号と第１基準信号とを比較した結果に相応して、前記発光ダイオードに流れる電流量を調節する電流調節部とを含んで構成されることが好ましい。
【発明の効果】
【０００９】
本発明による発光ダイオード駆動回路は、発光ダイオードの光出力を発光ダイオードの使用時間（ａｇｉｎｇ）と温度変化によって補償するために、発光ダイオードに供給される電圧をセンシングした結果を通して、発光ダイオードに流れる電流の量を少ない素子のみで調節することができる。また、発光ダイオードの両端にかかる電圧及び発光ダイオードから発する光の大きさを比較的簡単にセンシングした結果を通して、発光ダイオードに流れる電流の量を少ない素子のみで調節することができる。したがって、本発明による発光ダイオード駆動回路は、発光ダイオードのエージングと温度変化による発光ダイオードの光出力の変化を減少し、発光ダイオードからの光出力を一定に維持することができるという効果を有する。
【発明を実施するための最良の形態】
【００１０】
以下、本発明による発光ダイオード駆動回路の構成及び動作を、添付した図面を参照して説明する。
【００１１】
図１は、本発明の実施例に係る発光ダイオード駆動回路の概略的なブロック図である。前記発光ダイオード駆動回路は、電荷ポンプ１０、電圧検査部１２、電流調節部１４及び光感知部１６を含んで構成される。図１に示した発光ダイオード駆動回路は、電荷ポンプ１０及び電圧検査部１２を選択的に有することもできる。
【００１２】
電圧検査部１２は、少なくとも一つの発光ダイオード１８に供給される電圧を検査し、検査された結果を制御信号として生成し、生成された制御信号を電荷ポンプ１０に出力する。例えば、電圧検査部１２は、発光ダイオード１８に供給される電圧を感知し、感知された結果を制御信号として発生することができる。さらに、電圧検査部１２は、発光ダイオード１８の両端での電圧が基準電圧以上であるかを感知し、感知された結果を制御信号として発生することもできる。
【００１３】
電荷ポンプ１０は、電圧検査部１２から受けた制御信号に相応する電圧を各発光ダイオード１８に供給する。例えば、電荷ポンプ１０は、入力端子ＩＮ１を通して外部から受けた入力電圧に対して互いに異なる電圧利得を有する多数個の動作モードのうち、制御信号に応答して決定された動作モードに相応する電圧を該当の発光ダイオード１８に供給することができる。例えば、このような電荷ポンプ１０は、白色ＬＥＤの動作電圧（３〜４ボルト）が移動通信素子のバッテリ電圧より高い場合に適している。
【００１４】
より具体的に説明すると、電荷ポンプ１０は、制御信号を通して発光ダイオードが電流不足状況であると判断されると、高い電圧利得を有する動作モードを選択し、選択された動作モードで高い電圧を発光ダイオード１８に供給することができる。したがって、ＬＥＤ１８出力に必ず必要な程度の電流を供給し、エネルギー効率を増大させることができる。
【００１５】
光感知部１６は、少なくとも一つの発光ダイオード１８から発する光を受光し、受光された光の量に相応するレベルを有するフィードバック信号を生成し、生成されたフィードバック信号を電流調節部１４に出力する。このために、光感知部１６は、電荷ポンプ１０と電流調節部１４との間に連結されるか、発光ダイオード１８の陽極と電流調節部１４との間に連結される。光感知部１６が電荷ポンプ１０と電流調節部１４との間に連結される場合、電荷ポンプ１０は、光感知部１６のための電源を供給することができる。
【００１６】
電流調節部１４は、発光ダイオード１８の電流が流れる経路上、例えば、発光ダイオード１８の陰極と基準電位である接地との間に設けられ、光感知部１６から受けたフィードバック信号と第１基準信号とを比較し、比較した結果に相応して、発光ダイオード１８に流れる電流量を調節する。このとき、電流調節部１４は、比較した結果に相応して各発光ダイオード別に流れる電流量をそれぞれ異なるように調節することもでき、全ての発光ダイオード１８に流れる電流を一括的に調節することもできる。
【００１７】
以下、図１に示した発光ダイオード駆動回路の本発明による各実施例の構成及び動作を、添付された図面を参照して説明する。
【００１８】
図２は、本発明の一実施例に係る発光ダイオード駆動回路の回路図で、図示したように、発光ダイオード駆動回路は、電荷ポンプ１０Ａ、電圧検査部１２、光感知部１６及び電流調節部１４Ａを含んで構成される。
【００１９】
図３は、本発明の他の実施例に係る発光ダイオード駆動回路の回路図で、図示したように、発光ダイオード駆動回路は、電荷ポンプ１０Ｂ、電圧検査部１２、光感知部１６及び電流調節部１４Ａを含んで構成される。
【００２０】
光感知部１６は、受光ダイオード２０及び第１負荷２２を含んで構成される。受光ダイオード２０は、発光ダイオード１８から発する光を受光する。受光ダイオード２０は、図２に示すように、発光ダイオード１８の陽極及び電荷ポンプ１０Ａと連結される陰極、及び第１負荷２２と連結される陽極を有することもできる。
【００２１】
図３に示すように、前記受光ダイオード２０は、電荷ポンプ１０Ｂと連結される陰極、及び第１負荷２２と連結される陽極を有することもできる。これを除けば、図２及び図３に示した発光ダイオード駆動回路の動作及び構成は同一である。図２に示すように受光ダイオード２０が連結される場合、電荷ポンプ１０Ａは、第１電圧を発光ダイオード１８及び受光ダイオード２０に供給する。一方、図３に示すように受光ダイオード２０が連結される場合、電荷ポンプ１０Ｂは、第１電圧を発光ダイオード１８に供給し、第２電圧を受光ダイオード２０に供給する。
【００２２】
第１負荷２２は、受光ダイオード２０の陽極と基準電位との間に連結される。電流調節部１４Ａに供給されるフィードバック信号は、受光ダイオード２０と第１負荷２２との間から流出する。もし、図２または図３に示すように、第１負荷２２が受光ダイオード２０の陽極と基準電位との間に連結される第１抵抗Ｒ１で具現される場合、フィードバック信号は、第１抵抗Ｒ１の両端にかかる電圧に該当する。
【００２３】
図２または図３に示した電流調節部１４Ａは、第１比較器３０、トランジスタＴ１、負荷Ｒ２、スイッチ３２及び第１基準信号発生部３３Ａを含んで構成される。
【００２４】
第１比較器３０は、光感知部１６から受けたフィードバック信号のレベルと第１基準信号発生部３３Ａで生成された第１基準信号のレベルとを比較し、比較された結果をトランジスタＴ１に出力する。このために、第１比較器３０は、フィードバック信号と連結される負の入力端子、第１基準信号と連結される正の入力端子、及びトランジスタＴ１と連結される出力端子を有する演算増幅器で具現される。
【００２５】
トランジスタＴ１は、発光ダイオード１８の陰極と基準電位との間に連結され、第１比較器３０で比較された結果に応答して駆動する。負荷Ｒ２は、第１トランジスタＴ１と基準電位との間に連結される。第１基準信号発生部３３Ａは、第１基準信号を発生し、発生した第１基準信号を第１比較器３０に出力する。このために、第１基準信号発生部３３Ａは、演算増幅器３６、トランジスタＴ２、各抵抗Ｒ３，Ｒ４及び電流ミラー３４を含んで構成される。
【００２６】
演算増幅器３６は、入力端子ＩＮ４を通して受けた第２基準信号と連結される正の入力端子を有し、電圧フォロワの役割をする。抵抗Ｒ４は、演算増幅器３６の負の入力端子と基準電位との間に連結され、トランジスタＴ２は、演算増幅器３６の出力に応答して基準電流を抵抗Ｒ４に流す。すなわち、演算増幅器３６、抵抗Ｒ４及びトランジスタＴ２は、電流レギュレータの役割をする。電流レギュレータでは、固定された電圧が抵抗Ｒ４にかかるように演算増幅器３６がトランジスタＴ２を制御する。
【００２７】
電流ミラー３４は、各トランジスタＭＴ１及びＭＴ２で構成され、トランジスタＴ２に流れる基準電流のミラー電流を生成し、生成されたミラー電流を抵抗Ｒ３に流す。このために、入力端子ＩＮ３を通して入ってきた電源が電流ミラー３４に供給される。したがって、抵抗Ｒ３の両端にかかる電圧は、第１基準信号として比較器３０の正の入力端子に提供される。
【００２８】
図２または図３に示した発光ダイオード駆動回路は、スイッチ３２をさらに設けることができる。スイッチ３２は、入力端子ＩＮ２を通して受けた選択信号に応答してスイッチングし、光感知部１６からのフィードバック信号を第１比較器３０の負の入力端子に提供したり、抵抗Ｒ２の両端にかかる電圧を第１比較器３０の負の入力端子に提供する。
【００２９】
上述した構成を有する発光ダイオード駆動回路の場合、光の強さが大きいほど、抵抗Ｒ１の両端にかかるフィードバック信号のレベルは大きくなり、光の強さが小さいほど、抵抗Ｒ１の両端にかかるフィードバック信号のレベルは小さくなる。このとき、電流調節部１４は、フィードバック信号のレベルが大きいほど、発光ダイオード１８に流れる電流量を減少させ、フィードバック信号のレベルが小さいほど、発光ダイオード１８に流れる電流量をさらに増加させる。このとき、電流ミラー３４を通して生成されたミラー電流の大きさは、抵抗Ｒ４の大きさを調節することで可変させることができる。このために、図２に示した発光ダイオード駆動回路が集積回路で具現される場合、抵抗Ｒ４は、集積回路の外部に設けられる。
【００３０】
図４は、本発明の更に他の実施例に係る発光ダイオード駆動回路の回路図で、図示したように、発光ダイオード駆動回路は、電荷ポンプ１０Ａ、電圧検査部１２、光感知部１６及び電流調節部１４Ｂを含んで構成される。
【００３１】
図５は、本発明の更に他の実施例に係る発光ダイオード駆動回路の回路図で、図示したように、発光ダイオード駆動回路は、電荷ポンプ１０Ｂ、電圧検査部１２、光感知部１６及び電流調節部１４Ｂを含んで構成される。
【００３２】
図４または図５に示した電荷ポンプ１０Ａまたは１０Ｂ、電圧検査部１２、発光部１８及び光感知部１６は、図２または図３に示したものと同一であるので、これに対する詳細な説明は省略する。また、受光ダイオード２０は、図４に示すように、発光ダイオード１８の陽極及び電荷ポンプ１０Ａと連結される陰極、及び第１負荷２２と連結される陽極を有することもでき、図５に示すように、電荷ポンプ１０Ｂと連結される陰極、及び第１負荷２２と連結される陽極を有することもできる。これを除けば、図４及び図５に示した発光ダイオード駆動回路の動作及び構成は同一である。
【００３３】
図４または図５に示した電流調節部１４Ｂは、第２比較器５２、第２基準信号発生部３３Ｂ、演算増幅器５０、トランジスタＴ１、抵抗Ｒ２及びスイッチ５４を含んで構成される。
【００３４】
第２比較器５２は、光感知部１６から受けたフィードバック信号のレベルと入力端子ＩＮ４を通して受けた第１基準信号のレベルとを比較し、比較された結果を第２基準信号発生部３３Ｂに出力する。このために、第２比較器５２は、フィードバック信号と連結される負の入力端子、第１基準信号と連結される正の入力端子、及び第２基準信号発生部３３Ｂと連結される出力端子を有する。
【００３５】
図４または図５に示した発光ダイオード駆動回路は、スイッチ５４をさらに設けることができる。スイッチ５４は、入力端子ＩＮ２を通して受けた選択信号に応答してスイッチングし、フィードバック信号を第２比較器５２の負の入力端子に提供したり、抵抗Ｒ４の両端にかかる電圧を第２比較器５２の負の入力端子に提供する。
【００３６】
第２基準信号発生部３３Ｂは、第２比較器５２で比較された結果に応答して第２基準信号を発生し、発生した第２基準信号を演算増幅器５０の正の入力端子に出力する。このために、第２基準信号発生部３３Ｂは、トランジスタＴ２、各抵抗Ｒ３，Ｒ４及び電流ミラー３４を含んで構成される。トランジスタＴ２は、基準電流が流れる経路上に設けられ、第２比較器５２で比較された結果に応答して駆動する。抵抗Ｒ４は、トランジスタＴ２と基準電位との間に連結され、電流ミラー３４は、基準電流のミラー電流を生成し、生成されたミラー電流を抵抗Ｒ３に流す。したがって、第２基準信号発生部３３Ｂで発生する第２基準信号は、抵抗Ｒ３の両端にかかる電圧に該当する。
【００３７】
演算増幅器５０は、第２基準信号に連結される正の入力端子を有し、電圧フォロワの役割をする。トランジスタＴ１は、発光ダイオード１８の陰極と演算増幅器５０の負の入力端子との間に連結され、演算増幅器５０の出力に応答して駆動する。負荷Ｒ２は、演算増幅器５０の負の入力端子と基準電位との間に連結される。すなわち、演算増幅器５０、抵抗Ｒ２及びトランジスタＴ１は、電流レギュレータの役割をする。電流レギュレータでは、固定された電圧が抵抗Ｒ２にかかるように演算増幅器５０がトランジスタＴ１を制御する。
【００３８】
図６は、本発明の更に他の実施例に係る発光ダイオード駆動回路の回路図である。図６に示した発光ダイオード駆動回路は、電荷ポンプ１０Ｂ、電圧検査部１２、発光ダイオード１８、光感知部１６及び電流調節部１４Ｃを含んで構成される。
【００３９】
図３に示した発光ダイオード駆動回路が一つの発光ダイオードを駆動する回路である反面、図６に示した発光ダイオード駆動回路は、多数個の発光ダイオード１８Ａ，１８Ｂ，１８Ｃを駆動する回路である。
【００４０】
図６に示した発光ダイオード駆動回路は、各発光ダイオード別に電流が調節される点を除けば、図３に示した回路と同一の役割を行うので、重複する部分に対しては詳細な説明を省略する。
【００４１】
すなわち、受光ダイオード２０は、３個の発光ダイオードから発する光を受光する。第１比較器７０，７２，７４、各トランジスタＴ１１，Ｔ１２，Ｔ１３、各スイッチ８０，８２，８４及び各抵抗Ｒ２１，Ｒ２２，Ｒ２３は、各発光ダイオード１８Ａ，１８Ｂ，１８Ｃ別に設けられる。第１比較器７０，７２，７４は、図３に示した第１比較器３０と同一の動作を行い、各スイッチ８０，８２，８４は、図３に示したスイッチ３２と同一の動作を行い、各トランジスタＴ１１，Ｔ１２，Ｔ１３は、図３に示したトランジスタＴ１と同一の動作を行うので、これらに対する詳細な説明は省略する。したがって、図６に示した発光ダイオード駆動回路では、発光ダイオード別に流れる電流量が制御される。
【００４２】
より具体的に、第１比較器７０、トランジスタＴ１１及び抵抗Ｒ２１は、発光ダイオード１８Ａの電流を調節する部分である。第１比較器７２、トランジスタＴ１２及び抵抗Ｒ２２は、発光ダイオード１８Ｂの電流を調節する部分である。第１比較器７４、トランジスタＴ１３及び抵抗Ｒ２３は、発光ダイオード１８Ｃの電流を調節する部分である。
【００４３】
図６の場合、受光ダイオード２０の陰極が電荷ポンプ１０Ｂに連結されているが、受光ダイオード２０の陰極は、発光ダイオードの陽極に連結されることもある。
【００４４】
図７は、本発明による更に他の実施例に係る発光ダイオード駆動回路の回路図で、図示したように、発光ダイオード駆動回路は、電荷ポンプ１０Ｂ、電圧検査部１２、発光ダイオード１８、光感知部１６及び電流調節部１４Ｄを含んで構成される。
【００４５】
図５に示した発光ダイオード駆動回路が一つの発光ダイオードを駆動する回路である反面、図７に示した発光ダイオード駆動回路が多数個の発光ダイオード１８Ａ，１８Ｂ，１８Ｃを駆動する回路である点を除けば、図７に示した回路は、図５に示した回路と同一の役割を行うので、重複する部分に対しては詳細な説明を省略する。
【００４６】
すなわち、受光ダイオード２０は、３個の発光ダイオード１８Ａ，１８Ｂ，１８Ｃから発する光を受光し、各演算増幅器９０，９２，９４、各トランジスタＴ１４，Ｔ１５，Ｔ１６及び各抵抗Ｒ２４，Ｒ２５，Ｒ２６は、各発光ダイオード１８Ａ，１８Ｂ，１８Ｃ別に設けられる。
【００４７】
各演算増幅器９０，９２，９４は、図５に示した演算増幅器５０と同一の動作を行い、各トランジスタＴ１４，Ｔ１５，Ｔ１６は、図５に示したトランジスタＴ１と同一の動作を行うので、これらに対する詳細な説明は省略する。
【００４８】
より具体的に、演算増幅器９０、トランジスタＴ１４及び抵抗Ｒ２４は、各発光ダイオード１８Ａの電流を調節する部分である。演算増幅器９２、トランジスタＴ１５及び抵抗Ｒ２５は、各発光ダイオード１８Ｂの電流を調節する部分である。演算増幅器９４、トランジスタＴ１６及び抵抗Ｒ２６は、各発光ダイオード１８Ｃの電流を調節する部分である。
【００４９】
図７に示した受光ダイオード２０の陰極は、電荷ポンプ１０Ｂに連結されているが、図７に示す場合と異なり、発光ダイオード１８の陽極に連結されることもある。
【００５０】
図６に示した発光ダイオード駆動回路は、発光ダイオード別に流れる電流量を制御するが、図７に示した発光ダイオード駆動回路は、各発光ダイオード１８Ａ，１８Ｂ，１８Ｃに流れる電流量を個別的でなく全体的に制御する。
【００５１】
図６と図７の場合、３個の発光ダイオードのみを示したが、３個以上またはそれ以下の複数個の発光ダイオードを駆動するために本発明の発光ダイオード駆動回路が用いられる。
【００５２】
図１乃至図７に示した各発光ダイオード駆動回路では、発光ダイオード１８、受光ダイオード２０及び抵抗Ｒ４を除いた部分は集積回路で具現される。また、電荷ポンプ１０Ａまたは１０Ｂは、集積回路の外部から入力端子ＩＮ１を通して電源供給を受けることができ、電流調節部１４Ａ乃至１４Ｄは、集積回路の外部または内部から入力端子ＩＮ３及びＩＮ４を通して電源供給を受けることができる。例えば、入力端子ＩＮ４を通して入力される電圧は、"Ｈｉｇｈ  ｅｆｆｉｃｉｅｎｃｙ  ＬＥＤ  ｄｒｉｖｅｒ"という題目の米国特許公報ＵＳ６６９０１４６に開示されたバンドギャップ基準回路（ｂａｎｄｇａｐ  ｒｅｆｅｒｅｎｃｅ  ｃｉｒｃｕｉｔ）から発生する。
【００５３】
また、上述した各実施例では、各トランジスタＴ１，Ｔ２，Ｔ１１，Ｔ１２，Ｔ１３，Ｔ１４，Ｔ１５，Ｔ１６はＮ型ＭＯＳ（Ｍｅｔａｌ  Ｏｘｉｄｅ  Ｓｅｍｉｃｏｎｄｕｃｔｏｒ）ＦＥＴ（Ｆｉｅｌｄ  Ｅｆｆｅｃｔ  Ｔｒａｎｓｉｓｔｏｒ）で具現され、各トランジスタＭＴ１，ＭＴ２はＰ型ＭＯＳＦＥＴで具現されるが、本発明は、これに限定されるものでなく、上述したような同一の動作原理でバイポーラー形態のトランジスタを代わりに使用することができる。
【００５４】
図２乃至図７に示した本発明の各実施例で、スイッチ３２，５４，８０，８２，８４は設けられないこともある。
【００５５】
一方、発光ダイオード駆動回路が図２または図４に示すように具現される場合、電荷ポンプ１０Ａは、一つの電圧のみを供給すればよいので、その回路構成は簡単であるが、受光ダイオード２０の陰極が発光ダイオード１８の陽極に連結されるので、回路の動作が図３または図５に示した回路よりも不安定である。
【００５６】
また、図３または図５に示すように発光ダイオード駆動回路が具現される場合、受光ダイオード２０の陰極が発光ダイオード１８とは別個に電荷ポンプ１０Ｂと連結されるので、図２または図４に示した回路より安定的であるが、電荷ポンプ１０Ｂで受光ダイオード２０のための別個の電圧を流すべきである。それにもかかわらず、図３、図５、図６または図７に示した回路の場合、電荷ポンプ１０Ｂで受光ダイオード２０に供給される電圧の量を調節することで、受光ダイオード２０に流れる電流の大小を調節することができる。
【００５７】
電荷ポンプ１０Ｂから受光ダイオード２０に供給される電圧のレベルを低下させる場合、抵抗Ｒ１の値を減少させることができ、図２または図４に示した回路に比べて、図３、図５、図６または図７に示した回路の集積化が一層有利である。
【００５８】
以上、上述した本発明の好適な実施例は、例示のために開示されたものである。したがって、当業者であれば、特許請求の範囲に開示された本発明の技術的思想とその技術的範囲内で、開示された実施例の改良、変更、代替または付加などによって多様な他の実施例を設けることができる。
【図面の簡単な説明】
【００５９】
【図１】本発明の実施例に係る発光ダイオード駆動回路の概略的なブロック図である。
【図２】本発明の一実施例に係る発光ダイオード駆動回路の回路図である。
【図３】本発明の他の実施例に係る発光ダイオード駆動回路の回路図である。
【図４】本発明の更に他の実施例に係る発光ダイオード駆動回路の回路図である。
【図５】本発明の更に他の実施例に係る発光ダイオード駆動回路の回路図である。
【図６】本発明の更に他の実施例に係る発光ダイオード駆動回路の回路図である。
【図７】本発明の更に他の実施例に係る発光ダイオード駆動回路の回路図である。
【符号の説明】
【００６０】
１０，１０Ａ，１０Ｂ  電荷ポンプ
１２，１２Ａ，１２Ｂ  電圧感知部
１４，１４Ａ，１４Ｂ，１４Ｃ，１４Ｄ  電流調節部
１６  光感知部
１８，１８Ａ，１８Ｂ，１８Ｃ  発光ダイオード
２０  受光ダイオード
２２  第１負荷
３０，５２，７０，７２，７４  第１比較器
３２，５４，８０，８２，８４  スイッチ
３３Ａ  第１基準信号発生部
３３Ｂ  第２基準信号発生部
３４  電流ミラー
３６，５０，９０，９２，９４  演算増幅器  
【図１】
2009004788.tif 000003
【図２】
2009004788.tif 000004
【図３】
2009004788.tif 000005
【図４】
2009004788.tif 000006
【図５】
2009004788.tif 000007
【図６】
2009004788.tif 000008
【図７】
2009004788.tif 000009